【事件の表示】
　特許第２９９３４３７号「カラー受像管用ガラスバルブ及びカラー受像管」の請求項１ないし４に係る特許に対する特許異議の申立てについて、次のとおり決定する。
【結　論】
　訂正を認める。
　特許第２９９３４３７号の請求項１、２に係る特許を維持する。
【理　由】
１．手続の経緯
　特許第２９９３４３７号の請求項１ないし４に係る発明についての出願は、平成８年８月２３日に出願され、平成１１年１０月２２日にその発明について特許権の設定登録がなされ、その後、請求項１ないし４に対して、特許異議申立人伊藤輝夫、遠山タイ子により特許異議の申立てがなされ、取消しの理由が通知され、その指定期間内である平成１３年１月１５日に訂正請求がなされたものである。
　
２．訂正の適否についての判断
２−１．訂正の内容
　特許権者が求めている訂正の内容は、以下の（ａ）〜（ｃ）のとおりである。
（ａ）特許請求の範囲の請求項１中の
「（イ）フェースプレートの有効画面領域の外面が実質的に平面であり、内面が下記の色選別用マスクに向かって凹状の曲率を有するガラスバルブと、」
を、
「（イ）フェースプレートの有効画面領域の外面が実質的に平面であり、内面が下記の色選別用マスクに向かって凹状の曲率を有し、フェースプレートの有効画面領域の水平方向周辺部の厚さをＴ、有効画面領域の中央部の厚さをＴ０としたとき、Ｔ＝１．２Ｔ０乃至１．３Ｔ０を満足するガラスバルブと、」
と訂正する。
　
（ｂ）発明の詳細な説明の段落【０００９】の
「上記の第２の目的を達成するための本発明のカラー受像管は、（イ）フェースプレートの有効画面領域の外面が実質的に平面であるガラスバルブと、（ロ）該ガラスバルブの内部に、フェースプレートの内面と対向して配設され、フェースプレートに向かって凸状の曲率を有する色選別用マスク、を備えていることを特徴とする。」
を、
「上記の第２の目的を達成するための本発明のカラー受像管は、
（イ）フェースプレートの有効画面領域の外面が実質的に平面であり、内面が下記の色選別用マスクに向かって凹状の曲率を有し、フェースプレートの有効画面領域の水平方向周辺部の厚さをＴ、有効画面領域の中央部の厚さをＴ０としたとき、Ｔ＝１．２Ｔ０乃至１．３Ｔ０を満足するガラスバルブと、
（ロ）該ガラスバルブの内部に、フェースプレートの内面と対向して配設され、フェースプレートに向かって、フェースプレートの内面の曲率より大きい凸状の曲率を有する色選別用マスク、
を備えていることを特徴とする。」
と訂正する。
　
（ｃ）特許請求の範囲の請求項３及び４を削除する。
　
２−２．訂正の目的の適否、新規事項の有無及び特許請求の範囲の拡張・変更の存否
　上記（ａ）の訂正事項に関連する記載として、願書に添付した明細書の段落【０００７】には「フェースプレートの有効画面領域の水平方向周辺部の厚さをＴ、有効画面領域の中央部の厚さをＴ０としたとき、Ｔ＝１．２Ｔ０〜１．３Ｔ０であることが好ましい。」、同じく段落【０００８】には「また、フェースプレートの内面に関しては、たとえ有効画面領域の水平方向周辺部の厚さが中央部の厚さよりも２０〜３０％（例えば、３〜５ｍｍ）厚くなったとしても、屈折効果により周辺部はやや浮いて見える現象が加わる結果、フェースプレートは目視では実質的に平面に見える。」と記載されていることから、「フェースプレートの有効画面領域の水平方向周辺部の厚さをＴ、有効画面領域の中央部の厚さをＴ０としたとき、Ｔ＝１．２Ｔ０乃至１．３Ｔ０を満足する」ことは願書に添付した明細書に記載した事項の範囲内のものと認める。したがって、上記（ａ）の訂正事項は、特許請求の範囲の減縮を目的とするものであり、新規事項の追加でもなく、特許請求の範囲を実質的に拡張し又は変更するものでもない。
　上記（ｂ）の訂正事項は、上記（ａ）の訂正事項により特許請求の範囲を訂正したことに伴う発明の詳細な説明の訂正であるから、明瞭でない記載の釈明を目的とするものであり、新規事項の追加でもなく、特許請求の範囲を実質的に拡張し又は変更するものでもない。
　上記（ｃ）の訂正事項は、請求項の削除であるから、特許請求の範囲の減縮を目的とするものであり、新規事項の追加でもなく、特許請求の範囲を実質的に拡張し又は変更するものでもない。
　
２−３．むすび
　したがって、上記訂正は、特許法第１２０条の４第２項及び同条第３項で準用する第１２６条第２項及び第３項の規定に適合するので、当該訂正を認める。
　
３．特許異議の申立てについての判断
３−１．特許異議申立ての概要
（ａ）特許異議申立人伊藤輝夫は、下記の甲第１ないし４号証を提出し、請求項１ないし４に係る発明は、甲第１ないし４号証に記載された発明に基づいて当業者が容易に発明をすることができたものであり、請求項１ないし４に係る発明の特許は、特許法第２９条第２項の規定に違反してなされたものであるから取り消すべきものである旨主張している。
　甲第１号証：特開平６−３６７１０号公報
　甲第２号証：特開昭５３−８３５７２号公報
　甲第３号証：「ＲＣＡ　Ｐｉｃｔｕｒｅ　Ｔｕｂｅｓ」（Ｃｏｐｙｒｉｇｈｔ１９８０）ＲＣＡ　Ｃｏｒｐｏｒａｔｉｏｎ、第４５〜４９頁、”Ｃｏｎｔｏｕｒｅｄ−ｌｉｎｅ　ｓｃｒｅｅｎｓ　ｆｏｒ　ｎｅｗ　ｉｎ−ｌｉｎｅ　ｃｏｌｏｒ　ｐｉｃｔｕｒｅ　ｔｕｂｅｓ”
　甲第４号証：特開平７−９９０３０号公報
　
（ｂ）特許異議申立人遠山タイ子は、下記の甲第１ないし８号証を提出し、請求項１ないし４に係る発明は、甲第１ないし８号証に記載された発明に基づいて当業者が容易に発明をすることができたものであり、請求項１ないし４に係る発明の特許は、特許法第２９条第２項の規定に違反してなされたものであるから取り消すべきものであり、さらに、請求項３、４に係る発明は、甲第３号証あるいは甲第８号証に記載された発明と同一であり、請求項３、４に係る発明の特許は、特許法第２９条第１項第３号の規定に違反してなされたものであるから取り消すべきものである旨主張している。
　甲第１号証：特開平７−１４２０１２号公報
　甲第２号証：特開平２−１４８５４４号公報
　甲第３号証：特開昭５１−１１８９５６号公報
　甲第４号証：特開昭６２−２１３０４４号公報
　甲第５号証：特開昭５２−４３３５９号公報
　甲第６号証：特開昭６１−１５８６５１号公報
　甲第７号証：特開昭６４−７７８４１号公報
　甲第８号証：特開昭５０−１０６５６１号公報
　
３−２．本件発明
　本件特許第２９９３４３７号の請求項１、２に係る発明は、訂正明細書の特許請求の範囲の請求項１、２に記載された事項により特定される次のとおりのものである。
「【請求項１】（イ）フェースプレートの有効画面領域の外面が実質的に平面であり、内面が下記の色選別用マスクに向かって凹状の曲率を有し、フェースプレートの有効画面領域の水平方向周辺部の厚さをＴ、有効画面領域の中央部の厚さをＴ０としたとき、Ｔ＝１．２Ｔ０乃至１．３Ｔ０を満足するガラスバルブと、
（ロ）該ガラスバルブの内部に、フェースプレートの内面と対向して配設され、フェースプレートに向かって、フェースプレートの内面の曲率より大きい凸状の曲率を有する色選別用マスク、
を備えていることを特徴とするカラー受像管。（以下、「本件発明１」という。）
【請求項２】色選別用マスクには複数の開口部が設けられており、開口部と開口部との間の間隔は、フェースプレートの水平方向周辺部に向かうに従って広がっていることを特徴とする請求項１に記載のカラー受像管。（以下、「本件発明２」という。）」
　
３−３．甲各号証刊行物に記載された発明
（ａ）特許異議申立人伊藤輝夫の提出した甲第１号証には、
「【産業上の利用分野】本発明は、テレビジョンその他に用いられる陰極線表示管の構造に関するものである。」（段落【０００１】）、
「図１において、１は陰極線表示管（以下ＣＲＴと略す）のガラス外管、２はシャドウマスク、３は螢光体、４は電子銃、５は陰極線（電子ビーム）、６は偏向コイル、１１はいＣＲＴ外面であり、電子銃４から放出された陰極線５（カラーの場合は３本の電子線）は偏向コイル６によって偏向走査され、カラーＴＶの場合はシャドウマスク通して３原色の螢光体３に達し映像を螢光体面に映しだす。」（段落【００１１】）、
「そのため、本発明では図１に示すように、電子線が照射され発光する螢光体面は従来と同様に管内から見て凹面（管外から見て凸）の構造とし、管外面を平面もしくは凹面の構造にしてその両面に挾まれたガラス体よって構成される凹レンズ構造の作用によって螢光面に映しだされる映像をより平面に近いものにする。」（段落【００１４】）と記載されている。
　同甲第２号証には、
「第３図はこの発明のカラー受像管で使用されるシャドウマスク（３）のマスク中央からの距離ｄに対するシャドウマスク孔ピッチａの変化を示している。図の縦軸は中央のピッチａ０ に対する周辺のピッチａとの比、横軸が距離ｄである。第３図Ａはピッチ変化が連続的に、第３図Ｂは不連続的に変化させた状態を示す。２６インチ１１０°偏向型カラー受像管の例で示すならば、中央のピッチは０．７６２ｍｍ、周辺部はｄ＝２５０のところで１．３０ａ０ ＝０．９９１ｍｍのピッチである。第３図Ａの例では、
　ａ／ａ０ ＝ｂ０ ＋ｂ１ ｒ＋ｂ２ ｒ２ ＋ｂ３ ｒ３ 　　　・・・（１）
　ただし　ｒ＝（１／１００）ｄ
　ｂ０ ＝１．０００００００
　・・・
　ここで、このピッチの変化について１つの重要な事は、ａ＞ａ０ であるとともに
ｄ２ （ａ／ａ０ ）／ｄｒ２ ＞０である事である。」（第２頁左下欄第３行〜第２頁右下欄第３行参照）、
「第４図の蛍光スクリーン（２）の曲率半径は、１０３３．７８ｍｍである。ここで、この発明の管軸と長辺軸とを含む断面のシャドウマスクＡ（一点鎖線で示す）の曲率半径は８４５．６ｍｍである。」（第３頁左上欄第１３〜１７行）、
「このようにシャドウマスク（３）のピッチを、第３図のように周辺に行く程大きくしてあるために、シャドウマスクの管軸を含む断面の形状が単純な例えば一定の曲率をもつようになし得るものである。」（第３頁右上欄第２〜６行）と記載されている。
　同甲第３号証には、
「図８に示すように蛍光体３色の正確な配設をするように陰極線管形状とフェイスプレイトの曲率で決められるので、マスクの曲率は自由に変えられない。マスクの曲率は、フェイスプレイトとの間隔ｑが図８からの方程式ｑ＝Ｌａ／３ｓに従って変化する。ここで、ｑはマスクとフェイスプレイトとの間隔；Ｌはスクリーンから偏向面までの距離；ａはマスクのスリット間隔；ｓは偏向面での電子ビームの間隔である。・・・もし、スクリーンの中央と端との間で、変数ａが中央より端で大きくなっていくように変化することが許されるなら、ｑもまた同様に変化する。このように、もし、ａの値が中央から端にかけて増加するならば、ｑも比例して増加するので、大きな彎曲をもったマスクとなる。」（第４７頁左欄第１４行〜同頁中欄第７行参照）と記載されている。
　同甲第４号証には、
「本発明のカラー受像管は、平面ガラスパネル部を含むバルブと、前記バルブ内において、前記平面ガラスパネル部に対向する平面状シャドウマスクとを備え、前記平面ガラスパネル部の外表面上に少なくとも１層の層から構成される樹脂膜が接着されている構成を有するものである。」（段落【００１７】）、
「図１は、本発明の一実施例であるカラー受像管の断面図を示している。図１に示すように、このカラー受像管は、実質的に均一な厚さを有する平面ガラスパネル（以下、平面パネルと略記する）部３を含むバルブ１１を備えている。」（段落【００２１】参照）、
「平面状シャドウマスク５は、この平面パネル部３の内面に対向し、両者は実質的に平行に配置されている。」（段落【００２９】参照）と記載されている。
　
（ｂ）特許異議申立人遠山タイ子の提出した甲第１号証には、
「【請求項１】表示画面を構成するほぼ矩形のフェース部と該フェース部に対しその周縁部から実質的に垂直方向に延在するスカート部とからなるガラスパネル部と、該ガラスパネル部に対し密封的に接合されるじょうご状のファンネル部と、電子銃を格納する前記ファンネル部根元のネック部とにより構成された陰極線管用ガラスバルブにおいて、前記ガラスパネルのフェース部の有効画面部の中央およびその端部近傍のガラス肉厚をそれぞれｔ０およびｔｄとするとき、該フェース部の対角線上において、１．０≦ｔｄ／ｔ０≦１．２であり、かつ該フェース部の外表面および内表面にｔ０／１０以上の厚さの圧縮応力層が形成されたことを特徴とする陰極線管用ガラスバルブ。」（特許請求の範囲）、
「しかしながら、前記従来の陰極線管用ガラスバルブにおいて、衝撃に対する強度を高めるためにガラスバルブの曲率半径を小さくすると視認性が悪くなり画面が見づらくなる。このためフェースのフラット化が要求され１．５Ｒ〜２．０Ｒ程度の曲率半径として画面を平坦化して見やすくする必要がある。ところがこのようにフェースを平坦化すると機械的衝撃に対し弱くなるという問題が生ずる。」（段落【０００７】）、
「また、補強のためにフェース部全体を厚くすると、・・・表示品質が低下するという問題を生ずる。」（段落【０００８】参照）と記載されており、段落【００３３】の【表３】には、ガラスパネルの外面曲率半径（ｍｍ）、内面曲率半径（ｍｍ）として、「６４０、６００」（サンプル−１）、「１２００、１１１５」（サンプル−２ないし５）、「１２００、９００」（サンプル−６）と表示されている。
　同甲第２号証には、
「内面が曲率半径が有限なほぼ球面または円筒面をなし、外面がほぼ平面をなすフェイスプレイトを有することを特徴とするシャドウマスク型カラー陰極線管。」（特許請求の範囲）と記載されている。
　同甲第３号証には、
「カラー映像を発生するためのシャドウマスク型陰極線管では、多数の孔を持つ色選択シャドウマスクを通して、複数の集束された電子ビームが、モザイク状の蛍光スクリンへ投射される。」（第１頁右下欄第１〜４行参照）、
「第７図にあるシャドウマスク管の各部の幾何学的関係が示されている。線Ｐ−Ｐは、第１図と同様に偏向面（零偏向での）を表わす。平面Ｐ−Ｐとスクリン３２との間の距離は”Ｌ”で、また、シャドウマスク３４とスクリン３２との間の間隔（軸線Ａ−Ａに平行に測って）は”ｑ”で示されている。さらに、距離”Ｓ”は、中心軸線Ａ−Ａから、ある軸線から離れた電子ビームの中心５４までの偏向面Ｐ−Ｐにおける距離を、また、”ａ”は、マスク３４の２つの孔の中心−中心間隔を表わすものとする。以上に述べた寸法は、だいたい次の式で表示されるような関係を持っている。
　ｑ＝Ｌａ／３Ｓ
この発明では、ドーミングの効果を減少する目的で、シャドウマスク５６に対して、従来の、同様構造の管で見られるより大きい曲率を与えて”ｑ”により大きい変化を与えている。同時に、”ａ”の値も”ｑ”に比例して変更される。」（第３頁右下欄第１７行〜第４頁左上欄第１４行参照）、
「第９図、第９Ａ図、第９Ｂ図および第９Ｃ図に示された、この発明の一実施例である曲率半径８５０ｍｍのシャドウマスク５６では、孔（この場合スリット）の中心間距離”ａ”は中心部６６で０．７７ｍｍ、中間点６８で０．８８５ｍｍ、周辺部７０で１０００ｍｍという具合に次第に大きくなっている。」（第４頁右上欄第９〜１４行）、
「２つの従来の管と、２つの、この発明に従って製作された管について、マスクからスクリンまでの距離（ｑ−管の主軸線に平行に測った）の比が、表Ａに示されている。・・・この発明の管では、周辺対中心ｑ間隔比が、従来管での同じ比より可成り大きいことがわかる。また、この発明の実施された管の２例について、周辺対中心ｑ間隔比の値はすべて１．１５より大きいこともわかる。シャドウマスクの曲率を、半径１０００ｍｍから半径８５０ｍｍまで大きくすると、ドーミングと「火ぶくれ」ひずみと、これらに基づく位置ずれがそれぞれ少なくなる。曲率を増加させると強度が増加する。」（第４頁左下欄第７行〜右下欄第９行参照）、
「この発明の管での公差の増大は、間隔”ａ”の増大によるものであり、位置ずれの減少は、シャドウマスクの曲率の増加によるものである。従って、マスクの曲率と間隔”ａ”を増すことによって、スクリン上の、ドーミングによる影響が最も大きく現われる位置における位置ずれが著しく減少する（たとえば、表Ｂの０．２７ｍｍだけ）ことになる。
以上の説明では、曲面を持つフェースプレートを対象として、曲率が増大されかつ間隔”ａ”が変化させられたマスクについて述べたが、この発明の考え方は、平面状のフェースプレートに対しても適用できる。」（第５頁右上欄第５〜１６行）、
「第１０図に、曲面状のシャドウマスク７４と平面的なフェースプレート７６を備える陰極線管７２が示されている。この管では、間隔”ｑ”はマスクの中心から周縁へ進むに従って事実上増大し、また、マスク孔の間隔”ａ”もスクリン上に、満足すべき蛍光体線パターンを維持できるように同様に増大されている。」（第５頁左下欄第４〜１０行）と記載されている。
　同甲第４号証には、
「インライン形電子銃と、ストライプ形の螢光スクリーンと、スロット形シャドウマスクとを備えたカラー陰極線管において、上記シャドウマスクが、管軸を通るＸ軸線上、もしくはその近傍のＸ軸対称の位置のＸ軸に平行な線上において上記螢光スクリーン側が凸となる向の折曲線が形成されてなることを特徴とするカラー陰極線管。」（特許請求の範囲）、
「また、Ｘ軸方向の曲率半径は、・・・その曲率半径より所定長だけ小さい曲率半径に形成されている。」（第３頁左上欄第１２〜１８行参照）、
「この実施例におけるシャドウマスク（６）上の各部分のピッチＰ（ｘ、ｙ）は次式で決定される。Ｐ（ｘ、ｙ）＝（ａ＋ｂｘｍ ）（１＋ｃｙ）」（第３頁右上欄第６〜８行）と記載されている。
　同甲第５号証には、
「３本の電子ビームを一水平面内に放射するインライン形電子銃にシャドウマスクを介して向き合う蛍光体スクリーンを、フェースプレートのほぼ球面をなす内面に設けると共に、中央電子ビームの偏向角を一定とする円錐状ビーム軌道における前記シャドウマスクと前記内面との相互間距離を、中央垂直軸上のものに比して中央水平軸上のものを大となしたことを特徴とするカラー受像管。」（特許請求の範囲）、
「本発明は３本の電子ビームを一水平面内に放射するインライン形電子銃を備えたカラー受像管に関するものである。・・・中央水平軸Ｘ−Ｘ上の周辺部で螢光体ドット・トリオが相互に近接し、ここに色ずれを生じる危険性が多分にあった。」（第１頁左下欄第１４行〜第２頁左下欄第４行参照）、
「第５図に示すように、・・・円環体に形成してもさしつかえない。」（第３頁左上欄第８〜１７行参照）と記載されている。
　同甲第６号証には、
「水平方向およびこの水平方向と６０°の角度で交差する方向に多数の透孔が配列されたシャドウマスクと、このシャドウマスクと所定間隔離れて対向するパネル内面に上記シャドウマスクの各透孔にそれぞれ対応して設けられる３色蛍光体を有する蛍光面と、上記シャドウマスクの透孔を通ってこの透孔に対応する３色蛍光体に入射する電子ビームを放出する電子銃とを具備し、上記電子ビームの入射により上記蛍光面上に形成される矩形画面の対角部および垂直方向の周辺部のうち少くとも上記対角部における３色蛍光体の水平方向の配列間隔が画面中央部における水平方向の配列間隔より大きいことを特徴とするカラーブラウン管。」（特許請求の範囲）、
「このような蛍光体（Ｂ）、（Ｇ）、（Ｒ）の配列は、通常、水平軸、垂直軸、対角軸方向ともに同一曲率で形成されるシャドウマスクに対して、垂直軸および対角軸方向の曲率半径を水平軸方向の曲率半径より小さくして、垂直方向周辺部および対角部におけるパネル（５）とシャドウマスク（２２）の間隔を大きくすることにより容易に得られ、また電子銃（２６）から放出された電子ビームを所要の蛍光体（Ｂ）、（Ｇ）、（Ｒ）に正しく入射させることができる。」（第３頁右上欄第１６行〜左下欄第４行）と記載されている。
　同甲第７号証には、
「従来、シャドウマスクの画面中央の横ピッチより画面周辺の横ピッチを大きくすることにより、周辺のシャドウマスク曲率を大きくして、またピュリテイ裕度を増して、ドーミング対策することが、株式会社ＲＣＡよりシャドウマスクのバリアブルピッチとして提案されている。」（第１頁左下欄第１７行〜右下欄第２行）と記載されている。
　同甲第８号証には、
「この発明はカラー受像管の改良特に平板状フェースプレートを有するカラー受像管の改良に関する。・・・しかし、従来考えられていた平板状フェースプレートを有するカラー受像管は第１図および第２図に示すようにフェースプレート（１）に対向するシャドウマスク（２）の主要部（３）が平面または凸面に形成されていた」（第１頁左下欄第１８行〜右下欄第１１行参照）と記載されている。
　
３−２．対比・判断
（ａ）本件発明１について
　本件発明１と、特許異議申立人伊藤輝夫、遠山タイ子の提出した甲各号証に記載された発明を対比すると、本件発明１を特定する事項である「フェースプレートの有効画面領域の外面が実質的に平面であり、内面が色選別用マスクに向かって凹状の曲率を有するガラスバルブを備えたカラー受像管」である点は特許異議申立人伊藤輝夫の提出した甲第１号証、特許異議申立人遠山タイ子の提出した甲第２号証に記載されており、本件発明１を特定する事項である「フェースプレートの内面と対向して配設され、フェースプレートに向かって、フェースプレートの内面の曲率より大きい凸状の曲率を有する色選別用マスク」である点については特許異議申立人伊藤輝夫の提出した甲第２、３号証及び特許異議申立人遠山タイ子の提出した甲第３〜５、７号証に記載されている。しかしながら、本件発明１を特定する事項である「フェースプレートの有効画面領域の水平方向周辺部の厚さをＴ、有効画面領域の中央部の厚さをＴ０としたとき、Ｔ＝１．２Ｔ０乃至１．３Ｔ０を満足するガラスバルブ」である点については、特許異議申立人伊藤輝夫、遠山タイ子の提出した甲各号証のいずれにも記載されておらず、示唆もされていない。すなわち、特許異議申立人遠山タイ子の提出した甲第１号証に「ガラスパネルのフェース部の有効画面部の中央およびその端部近傍のガラス肉厚をそれぞれｔ０およびｔｄとするとき、該フェース部の対角線上において、１．０≦ｔｄ／ｔ０≦１．２である」との記載があるのみで、他の甲各号証に有効画面領域の周辺部の厚さＴと中央部の厚さＴ０との関係を表す数値に関する記載はない。そして、対角線上の端部ガラス肉厚は水平方向周辺部ガラス肉厚より大きいことは明らかであるから、甲第１号証（特許異議申立人遠山タイ子）の記載の数値範囲を、本件発明１の水平方向周辺部の厚さＴに換算すれば、上限値が１．２より小さくなることが明らかであり、甲第１号証（特許異議申立人遠山タイ子）記載の上記数値範囲は本件発明１の数値範囲とは相違する。しかも、甲第１号証（特許異議申立人遠山タイ子）の記載「フェースのフラット化が要求され１．５Ｒ〜２．０Ｒ程度の曲率半径として画面を平坦化」及び【表３】に示されたガラスパネルの外面曲率半径（６４０ｍｍ、１２００ｍｍ）からみて、甲第１号証（特許異議申立人遠山タイ子）記載のものは、フェースの外面が実質的に平面であるともいえない。
　そして、本件発明１は、明細書記載の顕著な効果を奏するものである。
　なお、当審が通知した取消しの理由についても、その理由に引用した刊行物１、刊行物２、刊行物３、刊行物４は、それぞれ、特許異議申立人伊藤輝夫が提出した甲第１号証、同甲第２号証、特許異議申立人遠山タイ子が提出した甲第３号証、特許異議申立人伊藤輝夫が提出した甲第４号証と同一であり、該甲各号証から本件発明１が容易といえないのは上記のとおりであるから、解消している。
　したがって、本件発明１は、特許異議申立人伊藤輝夫、遠山タイ子が提出した上記甲各号証に記載された発明に基づいて当業者が容易に発明をすることができたものではない。
　
（ｂ）本件発明２について
　本件発明２は、本件発明１を引用して更に限定したものであるから、上記本件発明１と同様の理由により、特許異議申立人伊藤輝夫、遠山タイ子が提出した上記甲各号証に記載された発明に基づいて当業者が容易に発明をすることができたものではない。
　
３−３．むすび
　以上のとおりであるから、特許異議申立ての理由及び証拠によっては本件発明１、２についての特許を取り消すことはできない。
　また、他に本件発明１、２の特許を取り消すべき理由を発見しない。
　よって、結論のとおり決定する。
【異議決定日】
平成１３年４月１９日（２００１．４．１９）
【訂正の要旨】
（ａ）特許請求の範囲の請求項１中の
「（イ）フェースプレートの有効画面領域の外面が実質的に平面であり、内面が下記の色選別用マスクに向かって凹状の曲率を有するガラスバルブと、」
を、
「（イ）フェースプレートの有効画面領域の外面が実質的に平面であり、内面が下記の色選別用マスクに向かって凹状の曲率を有し、フェースプレートの有効画面領域の水平方向周辺部の厚さをＴ、有効画面領域の中央部の厚さをＴ０としたとき、Ｔ＝１．２Ｔ０乃至１．３Ｔ０を満足するガラスバルブと、」
と訂正する。
（ｂ）発明の詳細な説明の段落【０００９】の
「上記の第２の目的を達成するための本発明のカラー受像管は、（イ）フェースプレートの有効画面領域の外面が実質的に平面であるガラスバルブと、（ロ）該ガラスバルブの内部に、フェースプレートの内面と対向して配設され、フェースプレートに向かって凸状の曲率を有する色選別用マスク、を備えていることを特徴とする。」
を、
「上記の第２の目的を達成するための本発明のカラー受像管は、
（イ）フェースプレートの有効画面領域の外面が実質的に平面であり、内面が下記の色選別用マスクに向かって凹状の曲率を有し、フェースプレートの有効画面領域の水平方向周辺部の厚さをＴ、有効画面領域の中央部の厚さをＴ０としたとき、Ｔ：１．２Ｔ０乃至１．３Ｔ０を満足するガラスバルブと、
（ロ）該ガラスバルブの内部に、フェースプレートの内面と対向して配設され、フェースプレートに向かって、フェースプレートの内面の曲率より大きい凸状の曲率を有する色選別用マスク、
を備えていることを特徴とする。」
と訂正する。
（ｃ）特許請求の範囲の請求項３及び４を削除する。
（５４）【発明の名称】
カラー受像管用ガラスバルブ及びカラー受像管
（５７）【特許請求の範囲】
　【請求項１】（イ）フェースプレートの有効画面領域の外面が実質的に平面であり、内面が下記の色選別用マスクに向かって凹状の曲率を有
し、フェースプレートの有効画面領域の水平方向周辺部の厚さをＴ、有効画面領域の中央部の厚さをＴ０としたとき、Ｔ＝１．２Ｔ０乃至１．３Ｔ０を満足する
　（ロ）該ガラスバルブの内部に、フェースプレートの内面と対向して配設され、フェースプレートに向かって、フェースプレートの内面の曲率より大きい凸状の曲率を有する色選別用マスク、
を備えていることを特徴とするカラー受像管。
　【請求項２】色選別用マスクには複数の開口部が設けられており、開口部と開口部との間の間隔は、フェースプレートの水平方向周辺部に向かうに従って広がっていることを特徴とする請求項１に記載のカラー受像管。
【発明の詳細な説明】
　【０００１】
　【発明の属する技術分野】
　本発明は、例えば家庭用テレビジョンカラー受像管やコンピュータのモニター、カラーディスプレイ装置といったカラー受像管、及び、かかるカラー受像管にて用いられるカラー受像管用ガラスバルブに関する。
　【０００２】
　【従来の技術】
　カラー受像管は、テレビジョンカラー受像管やコンピュータのモニター、カラーディスプレイ装置等、家庭用から産業用に至るまで多種の機器に用いられている。一般に、カラー受像管を構成するガラスバルブは、フェースプレートとファンネルから構成されており、フェースプレートとファンネルとはガラス接着剤で接合されている。フェースプレートの内面には、赤、緑及び青の３色を発光するための発光体層が設けられている。そして、ガラスバルブの内部には、フェースプレートの内面と対向して色選別用マスクが配設されている。
　【０００３】
　カラー受像管の大型化に伴い、歪みのない画面で、より自然な表示への要求を満たすために、ガラスバルブのフェースプレートを平面化（フラット化）することが要望されている。このような、平面化されたフェースプレートを有するカラー受像管は、例えば特開平７−９９０３０号公報から公知である。この特許公開公報に開示されたカラー受像管は、平面ガラスパネル部を含むバルブと、このバルブ内において平面ガラスパネル部に対向する平面状シャドウマスクとを備えている。
　【０００４】
　【発明が解決しようとする課題】
　しかしながら、特開平７−９９０３０号公報に開示された平面ガラスパネル部を有するカラー受像管においては、色選別用マスクの横方向（Ｘ方向）及び縦方向（Ｙ方向）に対して均一に張力を加えることは困難であり、従来設備とは大幅に異なる新規の設備も必要となる。また、外部から加わる振動によって色選別用マスクが振動することを防止することが難しく、色選別用マスクの振動による画質の劣化といった問題が生じ易い。また、平面ガラスパネル部の厚さが均一であるために、所謂アーチ効果が無く、外部からの機械的衝撃に対するガラスパネル部の耐性が低く、防爆強度を確保するためにはガラスパネル部全体の厚さを厚くする必要がある。このようにガラスパネル部全体の厚さを厚くすると、ガラスパネル部での光の屈折によって画像の歪みが大きくなるばかりか、カラー受像管全体の重量が重くなるという問題がある。ここで、アーチ効果とは、ガラスバルブのフェースプレートが外側に向かって凸状となっている場合、外部からフェースプレートに機械的衝撃が加わったとき、フェースプレートの内面に圧縮力が加わる結果、フェースプレートの耐衝撃性が高まる効果を指す。尚、平面状のガラスバルブのフェースプレートに外部から機械的衝撃が加わった場合、フェースプレートの内面に引っ張り力が加わる結果、フェースプレートが破損し易い。
　【０００５】
　従って、本発明の第１の目的は、外面が平面であってしかも耐衝撃性の高いカラー受像管用ガラスバルブを提供することにある。更に、本発明の第２の目的は、外面が平面であってしかも耐衝撃性が高く、色選別用マスクに対して従来技術の延長で容易に且つ安定した特性を付与することができ、しかも、外部から加わる振動によっても色選別用マスクが振動し難いカラー受像管を提供することにある。
　【０００６】
　【課題を解決するための手段】
　上記の第１の目的を達成するための本発明のカラー受像管用ガラスバルブは、フェースプレートの有効画面領域の外面が実質的に平面であり、フェースプレートの有効画面領域の水平方向周辺部の厚さが、有効画面領域の中央部の厚さよりも厚いことを特徴とする。
　【０００７】
　ここで、フェースプレートの有効画面領域とは、カラー受像管用ガラスバルブをカラー受像管に組み込んだとき、実際に画像が写し出されるフェースプレートの領域を意味する。また、フェースプレートの有効画面領域の外面が実質的に平面であるとは、フェースプレートの製造誤差許容範囲内で平面であることを意味する。例えば、２８インチサイズのガラスバルブにおけるフェースプレートの場合の製造誤差許容範囲は１〜２ｍｍ程度以下である。この場合には、目視では実質的に完全な平面であるように見える。更には、フェースプレートの有効画面領域の厚さの、有効画面領域の中央部から水平方向周辺部へ向かっての変化は、弧、あるいは、多項式で表現することができる。ガラスバルブを水平に保持し、フェースプレートを垂直面で切断したと仮定したときの、フェースプレートの内面の描く曲線は、直線であってもよいし、弧、あるいは又、多項式で表現された曲線であってもよい。フェースプレートの有効画面領域の水平方向周辺部の厚さをＴ、有効画面領域の中央部の厚さをＴ０としたとき、Ｔ＝１．２Ｔ０〜１．３Ｔ０であることが好ましい。
　【０００８】
　本発明のカラー受像管用ガラスバルブは、上記のとおり、フェースプレートの有効画面領域の外面が実質的に平面であるが故に、平面化（フラット化）を達成することができる。また、フェースプレートの内面に関しては、たとえ有効画面領域の水平方向周辺部の厚さが中央部の厚さよりも２０〜３０％（例えば、３〜５ｍｍ）厚くなったとしても、屈折効果により周辺部はやや浮いて見える現象が加わる結果、フェースプレートは目視では実質的に平面に見える。しかも、フェースプレートの有効画面領域の水平方向周辺部の厚さが、有効画面領域の中央部の厚さよりも厚いので、所謂アーチ効果が生じる結果、外部からの機械的衝撃に対するガラスパネル部の耐性が高く、防爆強度を確保するためにフェースプレート全体の厚さを厚くする必要がない。
　【０００９】
　上記の第２の目的を達成するための本発明のカラー受像管は、
　
（イ）フェースプレートの有効画面領域の外面が実質的に平面であり、内面が下記の色選別用マスクに向かって凹状の曲率を有し、フェースプレートの有効画面領域の水平方向周辺部の厚さをＴ、有効画面領域の中央部の厚さをＴ０としたとき、Ｔ＝１．２Ｔ０乃至１．３Ｔ０を満足するガラスバルブと、
　
（ロ）該ガラスバルブの内部に、フェースプレートの内面と対向して配設され、フェースプレートに向かって、フェースプレートの内面の曲率より大きい凸状の曲率を有する色選別用マスク、
を備えていることを特徴とする。
　【００１０】
　ここで、色選別用マスクの曲率とは、カラー受像管を水平に保持し、色選別用マスクを水平面で切断したと仮定したときの、色選別用マスクの断面が描く曲線の曲率を意味する。かかる曲線は、弧とすることが好ましく、この場合には、色選別用マスクの曲率とは、かかる弧の半径の逆数に相当する。色選別用マスクの形式としては、シャドウマスク、アパーチャーグリルを挙げることができる。
　【００１１】
　色選別用マスクをアパーチャーグリルとする場合、カラー受像管にはフレーム部材が備えられ、縦方向に張力を加えた状態で色選別用マスクをフレーム部材に取り付けることが好ましい。
　【００１２】
　本発明のカラー受像管用ガラスバルブ、あるいはカラー受像管におけるガラスバルブのフェースプレートの外面には、必須ではないが、樹脂製フィルムを接着することが、フェースプレートの高強度化のために好ましい。本発明においては、フェースプレートの外面が実質的に平面であるが故に、容易に樹脂製フィルムをフェースプレートの外面に接着することができる。樹脂製フィルムのフェースプレートヘの接着は、例えばアクリル系感圧接着剤を用いればよい。樹脂製フィルムとしては、ポリエチレン、ボリエチレンテレフタレート、ポリエステル、ポリスチレンを例示することができる。樹脂製フィルムは多層構成とすることもできる。例えば、樹脂製フィルムの外面又は内面に粉末状の酸化錫（ＳｎＯ２）等の導電性材料を酸化シリコンから成る接着剤を用いて接着したり、樹脂製フィルムの外面又は内面に酸化錫等の導電性材料を塗布、蒸着やスパッタリングすることで、フェースプレートの帯電を防止するのに十分な程度の導電性を樹脂製フィルムに付与することができる。あるいは又、樹脂製フィルムの外面（フェースプレート側とは反対側の表面）に、表面硬度を向上させるための硬質膜が形成されていてもよい。硬質膜としてはシリコーンハードコート膜を挙げることができる。あるいは又、樹脂製フィルムは、フェースプレート及び樹脂製フィルムを通過する光の光透過率を制御するために着色されていてもよい。更には、樹脂製フィルムの外面には、外部から入射する光の反射を防ぐ無反射層や凹凸が形成されていてもよい。
　【００１３】
　本発明のカラー受像管においては、フェースプレートの有効画面領域の外面が実質的に平面であるガラスバルブを用いるので、平滑な画面を有するカラー受像管を実現することができる。しかも、フェースプレートに向かって凸状の曲率を有する色選別用マスクを備えているので、例えばアパーチャーグリルを色選別用マスクとして用いる場合、従来のとおり、ダンピングワイヤーを用いることによって、外部からの振動によって色選別用マスクが振動することを効果的に防止することができる。また、十分な張力にて色選別用マスクをフレーム部材に取り付けることができるので、色選別用マスクに電子ビームが衝突することによって色選別用マスクが熱膨張するといったドーミング現象によって色ずれが発生することを効果的に防止することができる。また、アパーチャーグリル以外のシャドウマスクを色選別用マスクとして用いる場合にも、従来と同様に凸面整形ができるので、従来と同様の構造とすることが可能となる。
　【００１４】
　【発明の実施の形態】
　以下、図面を参照して、発明の実施の形態（以下、実施の形態と略す）に基づき本発明を説明する。
　【００１５】
　（実施の形態１）
　実施の形態１におけるカラー受像管を部分的に切断した模式図を、図１に示す。本発明のカラー受像管においては、フェースプレート１０の有効画面領域の外面１０Ａが実質的に平面であるガラスバルブ１と、このガラスバルブ１の内部に、フェースプレート１０の内面１０Ｂと対向して配設され、フェースプレート１０に向かって凸状の曲率を有する色選別用マスク２０とが備えられている。実施の形態１のフェースプレート１０に関しては、その有効画面領域の外面１０Ａが実質的に平面であり、フェースプレート１０の有効画面領域の水平方向周辺部の厚さＴが、有効画面領域の中央部の厚さＴ０よりも厚い。言い換えれば、ガラスバルブ１のフェースプレート１０の内面１０Ｂは、色選別用マスク２０に向かって凹状の曲率を有する。そして、色選別用マスク２０の曲率は、フェースプレート１０の内面１０Ｂの曲率よりも大きい。
　【００１６】
　ガラスバルブ１を水平に保持し、フェースプレート１０を水平面で切断したと仮定したときの、フェースプレート１０の内面１０Ｂの描く曲線は、弧であってもよいし、あるいは又、多項式で表現する曲線であってもよい。かかる曲線が弧で表現される場合には、弧の半径の逆数がフェースプレート１０の内面１０Ｂの曲率に相当する。また、かかる曲線が多項式で表現される場合には、フェースプレート１０の有効画面領域の水平方向周辺部と有効画面領域の中央部の３点を結ぶ弧の半径の逆数を、フェースプレート１０の内面１０Ｂの曲率と定義する。実施の形態１のカラー受像管においては、色選別用マスク２０の曲率がフェースプレート１０の内面１０Ｂの曲率よりも大きいので、フェースプレート１０の有効画面領域の中央部から色選別用マスクまでの距離よりも、フェースプレート１０の有効画面領域の水平方向周辺部から色選別用マスクまでの距離の方が長い。然るに、実施の形態１におけるカラー受像管において、色選別用マスク２０に設けられた開口部２１（図４の（Ｂ）参照）と開口部２１との間の間隔（ピッチ）を、フェースプレート１０の水平方向周辺部に向かうに従って広げることによって、特に、テレビジョンカラー受像管の周辺部における色純度を大幅に改善することができる。
　【００１７】
　フェースプレート１０はガラス接着剤によってファンネル１１と接合されている。ファンネル１１の近傍のフェースプレート１０にはテンションバンド１２が巻かれており、ガラスバルブ１の強度を高めている。図４の（Ａ）に模式的な斜視図を示すように、アパーチャーグリル形式の色選別用マスク２０は、縦方向に張力を加えた状態で、抵抗溶接法やレーザ溶接法によってフレーム部材２２に取り付けられている。フレーム部材２２は、スプリングから成る取付具２３によって、フェースプレート１０に着脱自在に取り付けられている。尚、カラー受像管のその他の構造は、従来のカラー受像管と同様であり、詳細な説明は省略する。
　【００１８】
　フェースプレート１０の外面１０Ａには、アクリル系感圧接着剤を用いてポリエチレンテレフタレート製の樹脂製フィルム３０が接着されている。この樹脂製フィルム３０には、例えば、フェースプレートの帯電を防止するのに十分な程度の導電性が付与され、樹脂製フィルムの外面にはシリコーンハードコート膜が形成されている。
　【００１９】
　２８インチ型カラー受像管において、フェースプレート１０の有効画面領域中央部の外面１０Ａが定盤と接するようにフェースプレート１０の外面１０Ａを定盤の上に置いたとき、フェースプレート１０の有効画面領域の水平方向周辺部と定盤との間に１〜２ｍｍ程度の隙間が生じることがあるが、この程度のフェースプレート１０の外面１０Ａの湾曲は、フェースプレートの製造誤差許容範囲内である。この程度の製造誤差許容範囲内にあるフェースプレートは、人間の目には十分平滑に見える。
　【００２０】
　２８インチ型カラー受像管においては、フェースプレートの有効画面領域の水平方向周辺部の厚さＴを１８ｍｍ、有効画面領域の中央部の厚さＴ０を１５ｍｍとした。尚、フェースプレート１０の内面１０Ｂの描く曲線を弧としたので、フェースプレート１０の内面１０Ｂの曲率半径は約１００００ｍｍである。フェースプレートの外面が平面であるが故に、フェースプレートの内面がこの程度湾曲していても、画像表示時には、やはりフェースプレートは平面に見える。また、色選別用マスクの曲率半径を約８０００ｍｍとした。実施の形態１においては、色選別用マスク２０に設けられた開口部２１と開口部２１との間の間隔（ピッチ）を、フェースプレート１０の有効画面領域の中央部において０．５６ｍｍとし、水平方向周辺部に向かうに従って徐々に広げ、フェースプレート１０の有効画面領域の水平方向周辺部で０．８ｍｍとした。これによって、テレビジョンカラー受像管の周辺部における色純度を大幅に改善することができる。
　【００２１】
　（実施の形態２）
　実施の形態２におけるカラー受像管においては、有効画面領域におけるフェースプレート１０の厚さを、図２に示すように、実質的に均一とした。ここで、実質的に均一であるとは、フェースプレートの製造誤差許容範囲内で均一であることを意味する。即ち、フェースプレート１０の内面１０Ｂを、実質的に平面とした。尚、色選別用マスク２０はフェースプレート１０に向かって凸状の曲率を有することは、実施の形態１と同様である。実施の形態２のカラー受像管においても、色選別用マスク２０に設けられた開口部２１と開口部２１との間の間隔（ピッチ）は、フェースプレート１０の水平方向周辺部に向かうに従って広げられている。
　【００２２】
　実施の形態２のカラー受像管においては、フェースプレート１０が平板であるが故に、実施の形態１におけるフェースプレートよりもその厚さを厚くする必要がある。しかしながら、フェースプレートに向かって凸状の曲率を有する色選別用マスクを備えているので、外部からの振動によって色選別用マスクが振動することを効果的に防止することができるし、ドーミング現象によって色ずれが発生することを効果的に防止することができる。
　【００２３】
　（実施の形態３）
　実施の形態３におけるカラー受像管においては、図３に示すように、ガラスバルブ１のフェースプレート１０の内面１０Ｂは、色選別用マスク２０に向かって凹状の曲率を有し、色選別用マスク２０の曲率は、フェースプレート１０の内面１０Ｂの曲率と略等しい。より具体的には、色選別用マスク２０の曲率半径は、フェースプレート１０の内面１０Ｂの曲率半径の９０％乃至１００％の範囲内にある。この場合には、色選別用マスク２０に設けられた開口部２１と開口部２１との間の間隔（ピッチ）を、フェースプレート１０の水平方向の位置に拘わらず一定とすることが好ましい。
　【００２４】
　以上、本発明を、発明の実施の形態に基づき説明したが、本発明はこれらに限定されるものではない。発明の実施の形態において挙げた数値は例示であり、適宜変更することができるし、カラー受像管の構造も例示である。
　【００２５】
　【発明の効果】
　本発明のカラー受像管用ガラスバルブを用いることにより、カラー受像管の平面化（フラット化）を達成することができるだけでなく、外部からの機械的衝撃に対するガラスパネル部の耐性が高く、防爆強度を確保するためにフェースプレートの厚さを厚くする必要がない。平板のフェースプレートと比較して、１０％〜２０％程度、フェースプレートの軽量化を図ることができる。
　【００２６】
　また、本発明のカラー受像管により、従来と同じ生産方式及び品質を保ちながら、カラー受像管の平面化（フラット化）を達成することができる。しかも、フェースプレートに向かって凸状の曲率を有する色選別用マスクを備えているので、外部からの振動によって色選別用マスクが振動することを効果的に防止することができるだけでなく、ドーミング現象によって色ずれが発生することを効果的に防止することができる。
【図面の簡単な説明】
　【図１】
　発明の実施の形態１に係るカラー受像管の一部を切り欠いた模式図である。
　【図２】
　発明の実施の形態２に係るカラー受像管の一部を切り欠いた模式図である。
　【図３】
　発明の実施の形態３に係るカラー受像管の一部を切り欠いた模式図である。
　【図４】
　アパーチャーグリル形式の色選別用マスクの模式的な斜視図、及び色選別用マスクに設けられた開口部の部分の拡大された模式図である。
　【符号の説明】
１・・・ガラスバルブ、１０・・・フェースプレート、１０Ａ・・・フェースプレートの外面、１０Ｂ・・・フェースプレートの内面、１１・・・ファンネル、１２・・・テンションバンド、２０・・・色選別用マスク、２１・・・開口部、２２・・・フレーム部材、２３・・・取付具、３０・・・樹脂製フィルム